【事件の表示】
　平成１１年特許願第５５２７４７号「ＮＯｘ低減方法」拒絶査定に対する審判事件［平成１１年１０月２８日国際公開、ＷＯ９９／５４２７０］について、次のとおり審決する。
【結　論】
　本件審判の請求は、成り立たない。
【理　由】
１．手続の経緯・本願発明
　本願は、平成１１年２月１７日を国際出願日（優先権主張１９９８年４月２０日、１９９８年６月１８日、１９９８年１１月１１日　日本）とする出願であって、その請求項１ないし２４に係る発明は、平成１３年１２月１２日付けの手続補正書により補正された明細書及び図面の記載からみて、特許請求の範囲の請求項１ないし２４に記載された事項により特定されるものであるところ、請求項１に係る発明（以下、「本願発明１」という。）は、請求項１に記載された次の事項により特定されるとおりのものである。
「【請求項１】エアバッグ用インフレータにおいて、ガス発生剤の燃焼により発生したＮＯｘを還元性物質により還元し、低減する方法であって、インフレータは、点火手段、ガス発生剤及びクーラントフィルターを含み、かつアゾジカルボンアミド、ジシアンジアミド、５−アミノテトラゾール、ビテトラゾールもしくはそのアンモニウム塩、ヒドラジン誘導体、トリアジン誘導体、ヒドロキシルアミンの塩、トリアゾール、シアン酸塩、ジシアナミド塩、アンミン錯体及びＣＤＨ錯体よりなる群から選ばれた少なくとも１種の還元性物質がインフレーター内に置かれている方法。」
　
２．引用例
　原査定の拒絶の理由に引用された引用例（特表平１０−５０１５１６号公報：公表日　平成１０年（１９９８）２月１０日）には、以下の事項が記載されている。
　ａ．引用例に係る発明「ビルトイン触媒を含有する非アジドガス発生組成物」について
「【特許請求の範囲】
１．乗員の安全制止装置を膨らませるために有用なガスを、燃焼の際生成する四成分系非アジドガス発生組成物であって、以下の機能グループの材料、即ち
　　イ）燃料；
　　ロ）酸化剤化合物；
　　ハ）スラグ形成化合物；および
　　ニ）有毒な窒素酸化物および一酸化炭素の各々窒素ガス（Ｎ２）および二酸化炭素への変換を促進する触媒からなる材料の少なくとも一つを含み、
ここで燃料は約２６重量％から約３２重量％の濃度で存在する５−アミノテトラゾールを含み、該酸化剤化合物は約５２重量％から約５８重量％の濃度で存在する硝酸ストロンチウムを含み、該スラグ形成化合物は約２重量％から約１０重量％の濃度で存在する粘土を含み、そして該触媒は約５重量％から約１５重量％の濃度で存在する５−アミノテトラゾールの亜鉛塩を含んでなる、前記組成物。
２．乗員の安全制止装置を膨らませるために有用なガスを、燃焼の際生成する四成分系非アジドガス発生組成物であって、以下の機能グループの材料、即ち
　　イ）燃料；
　　ロ）酸化剤化合物；
　　ハ）スラグ形成化合物；および
　　ニ）有毒な窒素酸化物および一酸化炭素の各々窒素ガス（Ｎ２）および二酸化炭素への変換を促進する触媒からなる材料の少なくとも一つを含み、
ここで燃料は約２６重量％から約３２重量％の濃度で存在する５−アミノテトラゾールを含み、該酸化剤化合物は約５２重量％から約５８重量％の濃度で存在する硝酸ストロンチウムを含み、該スラグ形成化合物は約２重量％から約１０重量％の濃度で存在するタルクを含み、そして該触媒は約５重量％から約１５重量％の濃度で存在する５−アミノテトラゾールの銅塩を含んでなる、前記組成物。」（特許請求の範囲の請求項１ないし２）
　ｂ．上記触媒について、
「本発明によれば、ビルトイン触媒は、テトラゾール、ビテトラゾールおよびトリアゾールのアルカリ金属、アルカリ土類金属または遷移金属の塩、または遷移金属オキシドを含む。ガス発生組成物に直接混合される触媒は、ＣＯおよびＮＯｘのＣＯ２およびＮ２への変換を促進する。より詳しくは、テトラゾール、ビテトラゾ−ルおよびトリアゾールの塩のかたち、または遷移金属オキシドのかたちで存在する金属が二つの反応の触媒になる。例えば、典型的な基本反応は以下のようである。
　　　　　２ＣＯ＋２ＮＯ→２ＣＯ２＋Ｎ２　
ビルトイン触媒はまた、二次的な分解反応を以下のように促進するとされている。　　２ＮＯ→Ｎ２十Ｏ２　
本発明のガス発生混合物中に含まれる触媒の量は、好ましくはガス発生混合物の約５重量％から約１５重量％の範囲である。」（第８頁２７行〜第９頁１１行）
　ｃ．実施例について、
「実施例１
５−アミノテトラゾール（５−ＡＴ）、硝酸ストロンチウム［Ｓｒ（ＮＯ３）２］、５−ＡＴの銅塩および粘土の混合物が重量％で以下の組成となるように製造される。５−ＡＴ：２８．６２％、Ｓｒ（ＮＯ３）２：５７．３８％、粘土：８．００％、５−ＡＴの銅塩：６．００％。
上記材料は乾燥して混合され、ボールミル中で摩砕され、圧縮成型によりペレット化される。
実施例２
５−ＡＴ、Ｓｒ（ＮＯ３）２、タルクおよび５−ＡＴの亜鉛塩の混合物が重量％で以下の組成にして、実施例１に記載したようにして製造される。５−ＡＴ：２８．６２％、Ｓｒ（ＮＯ３）２：５７．３８％、タルク：６．００％、５−ＡＴの亜鉛塩：８．００％。」（第９頁２０行〜第１０頁２行）
３．対比・判断
　引用例に記載された「ビルトイン触媒」は、「テトラゾール、ビテトラゾールおよびトリアゾールのアルカリ金属、アルカリ土類金属または遷移金属の塩、または遷移金属オキシドを含むもの」を指しているが、本願発明１において、還元性物質を「還元性物質としては、入手が容易で、低価格であり、しかも毒性が低いことから、アゾジカルボンアミド、ジシアンジアミド、５−アミノテトラゾール、５−アミノテトラゾールナトリウム塩、５−アミノテトラゾールカリウム塩、５−アミノテトラゾール亜鉛塩、ビテトラゾール、ビテトラゾールアンモニウム塩、ビテトラゾールナトリウム塩、ビテトラゾールカリウム塩、トリヒドラジノトリアジン、カルボヒドラジド錯体が好ましい。」（本願の公表公報第１０頁７〜１２行）と定義することからみて、ビルトイン触媒は還元性物質に相当するといえる。
　それ故、両者は、「エアバッグ用インフレータにおいて、ガス発生剤の燃焼により発生したＮＯｘを還元性物質により還元し、低減する方法であって、インフレータは、点火手段、ガス発生剤及びクーラントフィルターを含み、還元性物質がインフレーター内に置かれている方法。」である点で一致するが、（１）引用例では、スラグ形成化合物を配合する点、また、（２）還元性物質として、本願発明１では、「アゾジカルボンアミド、ジシアンジアミド、５−アミノテトラゾール、ビテトラゾールもしくはそのアンモニウム塩、ヒドラジン誘導体、トリアジン誘導体、ヒドロキシルアミンの塩、トリアゾール、シアン酸塩、ジシアナミド塩、アンミン錯体及びＣＤＨ錯体よりなる群から選ばれた少なくとも１種」を用いるのに対して、引用例には、「テトラゾール、ビテトラゾールおよびトリアゾールのアルカリ金属、アルカリ土類金属または遷移金属の塩、または遷移金属オキシドを含むもの」を用いることが記載されている点で相違する。
　その相違する（１）、（２）の点について検討する。
　ａ．相違点（１）について
　本願明細書には、「またガス発生剤組成物中にはさらにスラグ形成剤、結合剤、その他の添加剤が含まれていてもよい。」（第１１頁１８〜１９行）とスラグ形成化合物の配合を容認する記載があるから、引用例において、スラグ形成化合物を配合することは、格別の相違ではない。
　ｂ．相違点（２）について
　本願発明１に係る実施例（実施例１〜５、７〜１１）及び比較例（実施例６、比較例１、実施例１２〜１３）が表１（第１８頁）に集約されているが、還元性物質に金属塩を含まないもの（実施例１〜５、７〜１１）と含有するもの（実施例６、実施例１２〜１３）とを対比すると、金属塩を含有するものを用いたものの方が、全般的にＮＯｘ濃度が低く、効果があると認められる。
　そして、還元性物質として、金属塩を含有しない「アゾジカルボンアミド、ジシアンジアミド、５−アミノテトラゾール、ビテトラゾールもしくはそのアンモニウム塩、ヒドラジン誘導体、トリアジン誘導体、ヒドロキシルアミンの塩、トリアゾール、シアン酸塩、ジシアナミド塩、アンミン錯体及びＣＤＨ錯体」と金属塩を含有する「５−アミノテトラゾールナトリウム塩、５−アミノテトラゾールカリウム塩、５−アミノテトラゾール亜鉛塩、ビテトラゾールナトリウム塩、ビテトラゾールカリウム塩」とは、同等に用い得るものであることは、本願明細書の記載（第１０頁７〜１２行）からもいえるところ、引用例記載の金属塩を含有する還元性物質にかえて、本願発明１で限定する金属塩を含有しない還元性物質を用いるようにすることは、当業者が容易に想到し得る事項といえるし、それによる効果も前述のとおり格別ともいえない。
　したがって、本願発明１は、引用例に記載された発明に基づいて当業者が容易に発明をすることができたものと認められる。
４．むすび
　以上のとおりであるから、本願発明１は、特許法第２９条第２項の規定により特許を受けることができないから、本願のその余の請求項に記載された発明については審理するまでもなく、本願は拒絶すべきものである。
　よって、結論のとおり審決する。